(57)【特許請求の範囲】
【請求項１】
柔軟材からなる背表紙の両側に表表紙と裏表紙を接続した構成の表紙と、その表紙でくるんだ本文を備え、前記背表紙が本文の背に接着されており、前記表表紙と裏表紙がそれぞれ、本文の前後面の紙葉の全面に接着されている構成の、背に柔軟材を用いた本の製本方法であって、本の背表紙とすべき柔軟材の両側に、本文の前後面に配置すべき表表紙及び裏表紙をそれぞれ接続した構成の表紙を作成し、該表紙を上製本ライン若しくは絵本ラインに供給し、本文の背に前記表紙の柔軟材を貼り付け、且つ表表紙及び裏表紙をそれぞれ本文の前後面の紙葉にべた貼りすることを特徴とする、背に柔軟材を用いた本の製本方法。
【請求項２】
柔軟材からなる背表紙の両側に表表紙と裏表紙を接続した構成の表紙を作成する方法であって、前記表紙よりも天地サイズの大きい用紙に、本文の前後面に配置される表表紙、裏表紙となる部分を、本文の背の幅以上の間隔を開けて配置し且つその表表紙、裏表紙となる部分の内側の辺に沿って該辺よりも長いスリットを形成した構成の表紙用紙を作成し、その表紙用紙に、背表紙を構成する柔軟材を、その両側縁部分を前記表表紙、裏表紙となる部分に接着させることで取り付けて表紙材を作成し、その後、その表紙材を前記表紙のサイズに断裁することを特徴とする表紙作成方法。
【請求項３】
柔軟材からなる背表紙の両側に表表紙と裏表紙を接続した構成の表紙と、その表紙でくるんだ本文を備え、前記背表紙が本文の背に接着されており、前記表表紙と裏表紙がそれぞれ、本文の前後面の紙葉の全面に接着されている構成の、背に柔軟材を用いた本の本の製本方法であって、前記表紙よりも天地サイズの大きい用紙に、本文の前後面に配置される表表紙、裏表紙となる部分を、本文の背の幅以上の間隔を開けて配置し且つその表表紙、裏表紙となる部分の内側の辺に沿って該辺よりも長いスリットを形成した構成の表紙用紙を作成し、その表紙用紙に、背表紙を構成する柔軟材を、その両側縁部分を前記表表紙、裏表紙となる部分に接着させることで取り付けて表紙材を作成し、その表紙材を上製本ライン若しくは絵本ラインに供給し、本文の背に前記表紙材の柔軟材を貼り付け、且つ表紙用紙の表表紙、裏表紙となる部分をそれぞれ本文の前後面の紙葉にべた貼りし、その後、本文及びそれをくるんだ表紙材の背を除いた三方を所定サイズに断裁することを特徴とする、背に柔軟材を用いた本の製本方法。
【発明の詳細な説明】
【０００１】
【発明の属する技術分野】
本発明は、上製本ライン若しくは絵本ラインで製本する本の構造に関し、特に、本文を大きく開くことができる本に関する。また、本発明はその本を製本する方法、並びにその製本に使用する表紙を作成する方法にも関する。
【０００２】
【従来の技術】
従来より、雑誌、電話帳、マニュアル本等には、低コストで製造しうる並製本（仮製本とも言う）が使用されている。ここで、並製本とは、ソフトカバーとも呼ばれるもので、印刷された紙等の１枚の表紙で本文（刷本を丁合して一体化したもの。前後面に見返しを付ける場合もあり、その場合、本明細書ではその見返しも本文の一部とする）をくるみ、その後、表紙と本文とを同一寸法に化粧裁ちした形態のものであり、また、綴じ方式としては、無線綴じ、アジロ綴じ等が使用されている。ところが、無線綴じ、アジロ綴じ等で製本された並製本は、複数の刷本を丁合してなる本文の背を接着剤によって、表紙の背の部分に貼り付けた構造となっており、糊付けした背の部分が固いために本を大きく広げた状態にするのが難しいという欠点があった。
【０００３】
一方、本を大きく開くことを可能とする本構造としては、上製本が知られている。この上製本は、本文の背を薄布等の柔軟な補強布で一体に接着固定し、その本文を表紙でくるむに際し、本文の背の補強布を、表紙の背表紙に接着せず、背表紙から離れて自由に屈曲しうるように構成したものである。
【０００４】
【発明が解決しようとする課題】
ところが、上製本では、本の背の部分が、本文の背を接着固定した補強布と、その背後に位置する背表紙との二重構造となるため、コストがかかるという問題があった。
【０００５】
本発明はかかる問題点に鑑みてなされたもので、本文の背を背表紙から離して自在に移動可能とするといった複雑な構造を採ることなく、本を容易に大きく開くことを可能とした、安価な本を製本する製本方法、並びにその製本に使用する表紙の作成方法を提供することを目的とする。
【０００６】
【課題を解決するための手段】
本発明方法によって製本する本は、上製本と同様な開き易さを確保しながら、コストダウンを図るため、背表紙自体を柔軟材で構成し、その背表紙を本文の背に貼り付ける構成としたものである。
【０００７】
本発明は上記構成の本を製本するため、本の背表紙とすべき柔軟材の両側に、表表紙、裏表紙をそれぞれ接続した構成の表紙を作成し、その表紙を上製本ライン若しくは絵本ラインによって本文に取り付けるという構成としたものである。柔軟材の両側に表表紙、裏表紙を接続した構成の表紙は、中央部に柔軟材が存在するため、取り扱いにくく、並製本ラインでは製本できないが、上製本ライン若しくは絵本ラインでは取り扱うことができ、従って、上製本ライン若しくは絵本ラインを用いることで、背表紙に柔軟材を用いた本を製本することができる。
【０００８】
更に、本発明は、上記したように、柔軟材の両側に表表紙、裏表紙を接続した構成の表紙を作成するために、１枚の用紙に、表表紙、裏表紙となる部分を所定の間隔となるように配置し且つその表表紙、裏表紙となる部分の内側の辺に沿って長いスリットを形成した構成の、且つ作成すべき表紙よりも天地サイズの大きい１枚の表紙用紙を作成し、その表紙用紙に対して、背表紙を構成する柔軟材を、その両側縁部分を前記表表紙、裏表紙となる部分に接着することで取り付けて表紙材を作成し、その後、その表紙材を所定サイズに断裁することで、余分な部分を切り離し除去するという方法を採用したものである。このように、表表紙、裏表紙となる部分を備えた１枚の表紙用紙に柔軟材を貼り付けることで、表表紙、裏表紙を正確に位置決めした状態で、すなわち、間隔及び平行度を正しく保持した状態で、柔軟材を貼り付けることができ、正確な寸法の表紙を容易に作成できる。
【０００９】
更に、本発明は、上記した表紙材を切断して表紙を構成することなく、表紙材のままで上製本ライン若しくは絵本ラインに供給して製本を行い、その後、出来上がった本の背を除いた三方を化粧裁ちするという製本方法も提供するものであり、これによっても、背表紙に柔軟材を用いた本を製本することができる。この製本方法では製本ラインに供給する表紙材が、柔軟材の両側に表表紙、裏表紙を接続した構成の表紙に比べて強度が大きいため、製本ラインでの取り扱い性が良く、このため位置決め精度が高くなり、本の品質を向上させることができる。
【００１０】
【発明の実施の形態】
本発明方法によって製本する本は、柔軟材からなる背表紙の両側に表表紙と裏表紙を接続した構成の表紙と、その表紙でくるんだ本文を備え、前記背表紙を本文の背に接着し、前記表表紙と裏表紙をそれぞれ、本文の前後面の紙葉の全面に接着するという構成としたものであり、本文の背が柔軟な背表紙で構成されるため、容易に大きく開くことができる。また、表表紙、裏表紙の裏面が、本文の前後面の紙葉（本文が見返しを有する場合にはその見返し）に対してべた貼りされて隠されるため、見栄えが極めて良い。本発明において、背表紙を形成するために使用する柔軟材は、クロス等の柔軟な且つ必要な強度を持ったものであれば任意であるが、通常、印刷、箔押し等が可能なものが使用される。本文の前後面に配置される表表紙、裏表紙は、特に限定されず、通常の本に使用される任意のものを使用可能であり、主として上製本に使用されるようなハードカバーでも、並製本に使用されるようなソフトカバーでもよい。また、その表表紙、裏表紙の大きさは、背を除いた３辺が、本文の３辺よりも少し外側に延びだすものであってもよいし、本文の３辺と一致するものであってもよい。
【００１１】
本発明の製本方法の一つの実施の形態は、本の背表紙とすべき柔軟材の両側に、本文の前後面に配置すべき表表紙及び裏表紙をそれぞれ接続した構成の表紙を作成し、該表紙を上製本ライン若しくは絵本ラインに供給し、本文の背に前記表紙の柔軟材を貼り付け、且つ表表紙及び裏表紙をそれぞれ本文の前後面の紙葉にべた貼りすることを特徴とするものであり、この構成により、本文の背に柔軟な背表紙を貼り付け、表表紙、裏表紙を本紙の前後面に位置する紙葉（例えば、見返し）にべた貼りした構成の本を製造できる。
【００１２】
また、本発明は、上記の製本方法に使用する表紙を作成する表紙作成方法も提供するものであり、その表紙作成方法の一つの実施の形態は、前記表紙よりも天地サイズの大きい用紙に、本文の前後面に配置される表表紙、裏表紙となる部分を、本文の背の幅以上の間隔を開けて配置し且つその表表紙、裏表紙となる部分の内側の辺に沿って該辺よりも長いスリットを形成した構成の表紙用紙を作成し、その表紙用紙に、背表紙を構成する柔軟材を、その両側縁部分を前記表表紙、裏表紙となる部分に接着させることで取り付けて表紙材を作成し、その後、その表紙材を前記表紙のサイズに断裁し、余分な部分を切り離し除去するという構成としたものである。このように、表表紙、裏表紙となる部分を備えた１枚の表紙用紙に対して柔軟材を貼り付ける構成としたことにより、表表紙、裏表紙を正確に位置決めした状態で、すなわち、間隔及び平行度を正しく保持した状態で、柔軟材を貼り付けることができ、正確な寸法の表紙を容易に作成できる。本発明の実施に当たって、表紙用紙に形成するスリットは、表表紙、裏表紙となる部分の内側の辺に沿ってそれぞれ形成された一対の細長いスリットであってもよいし、表表紙、裏表紙となる部分に沿って形成された単一の広い幅のスリットであってもよい。
【００１３】
本発明の製本方法の第二の実施の形態は、上記した表紙作成方法で作成した表紙材を、表紙の代わりに上製本ライン若しくは絵本ラインに供給し、本文の背に前記表紙材の柔軟材を貼り付け、且つ表紙用紙の表表紙、裏表紙となる部分をそれぞれ本文の前後面の紙葉にべた貼りし、その後、本文及びそれをくるんだ表紙材の背を除いた三方を所定サイズに断裁することを特徴とするものであり、この構成により、本文の背に柔軟な背表紙を貼り付け、表表紙、裏表紙を本紙の前後面に位置する紙葉（例えば、見返し）にべた貼りした構成の本を製造でき、また、製本ラインに供給する表紙材が、柔軟材の両側に表表紙、裏表紙を接続した構成の表紙に比べて強度が大きいため、製本ラインでの位置決め精度が高くなり、本の品質を向上させることができる。
【００１４】
【実施例】
以下、図面に示す本発明の実施例を説明する。
図１は、本発明方法によって製本する本の１例である本１を閉じた状態で示す概略斜視図、図２はその本１を開いた状態で示す概略断面図である。この本１は、前後面に見返し２ａを備えた本文２と、その本文２をくるんだ表紙１０を備えている。この表紙１０は本文２の背に貼り付けられたクロス等の柔軟材からなる背表紙３と、その背表紙３の両側に接続され本文２の前後面に配置された表表紙４、裏表紙４からなる。ここで、表表紙４及び裏表紙４は、ハードカバー、ソフトカバーのいずれで構成してもよく、また、その大きさは、図示したように、背を除いた３辺が本文２の３辺に一致する大きさに限らず、通常の上製本のように本文２よりも少し外側へ延びだす大きさとしてもよい。表表紙４及び裏表紙４の背側の端縁４ａの位置は本１の背の位置に合わせてもよいが、図示実施例のように背の面よりも少し内側に引っ込んだ位置とすることが好ましい。このように構成しておくと、本文２を表紙１０でくるむ工程において表紙１０の位置が多少ずれても、表表紙４或いは裏表紙４の端縁４ａが本１の背の面を越えて外側に突出するとか背に回り込んで見栄えを悪くするということを防止できる利点が得られる。ここで、端縁４ａを本の背の面から引っ込める量としては、１〜１０ｍｍ程度が好ましい。
【００１５】
表表紙４、裏表紙４はそれぞれ、背表紙３の両側縁部分３ａ（本文２の前後面に貼り付けられた部分）の外側に接着剤５によって貼り付けられると共に接着剤６によって見返し２ａの全面に貼り付けられている。一方、背表紙３は接着剤７によって本文２の背に貼り付けられている。このように、この本１は背表紙３を柔軟材によって構成しているので、図２に示すように、背表紙３を湾曲させることができ、本文２を容易に大きく開くことができる。また、見返し２ａの全面を表表紙４、裏表紙４の裏面に貼り付けているので、表表紙４或いは裏表紙４を開いた状態での外観がきわめて良い。
【００１６】
図３、図４は本発明方法によって製本する本の他の例である本１Ａを示すものである。この本１Ａも、図１に示す本１と同様に、本文２を、柔軟材からなる背表紙３とその両側に接続された表表紙４、裏表紙４を備えた表紙１０Ａでくるんだものであり、その表紙１０Ａの背表紙３を本文２の背に接着剤７で貼り付け、且つ表表紙４、裏表紙４をそれぞれ見返し２ａの全面に接着剤６によって貼り付けているが、本１とは異なり、表表紙４、裏表紙４を背表紙３の両側縁部分の内側に接着剤５によって貼り付けており、図１の本とは外観が若干異なっている。しかしながら、この本１Ａも本１と同様に本文２を容易に大きく開くことができる。
【００１７】
次に、上記構成の本１を製本する本発明方法の一実施例を説明する。図５は製本工程全体を概略的に示すブロック線図である。符号Ａで示すものは、シート刷刷本から、上製本ラインに供給するための本文（三方断裁する前のもの）を作成する工程であり、従来公知のものである。すなわち、この本文作成工程Ａは、シート刷刷本を断裁する工程Ａ１、折り工程Ａ２、貼り込み工程Ａ３、丁合工程Ａ４、糸かがり工程Ａ５等を有し、これらの工程によりシート刷刷本から本文を作成する。なお、糸かがり工程Ａ５は省略する場合もある。
【００１８】
符号Ｂで示すものは、図６（ｂ）に示す構成の表紙１０を作成する表紙作成工程である。この表紙作成工程Ｂは、図６（ａ）に示すように、柔軟材を所定形状に断裁して背表紙３を形成し且つ印刷済の表紙用紙を所定形状に断裁して表表紙４、裏表紙４を形成する断裁工程Ｂ１と、その表表紙４、裏表紙４の裏面側の側縁部分に接着剤５を塗布し、一対の表表紙４、裏表紙４を一定間隔Ｄをあけた状態に保持して背表紙３の両側縁部分を貼り付ける貼り工程Ｂ２と、背表紙３に背文字等を箔押し（又は印刷）する箔押し工程Ｂ３等を備えており、この工程により表紙１０を作成する。ここで、間隔Ｄは、図１に示すように表紙１０で本文２をくるんだ時に、表表紙４、裏表紙４の端縁４ａが占める位置を定めるものであり、本文２の背の幅（すなわち本文２の厚さ）以上に設定される。なお、箔押し工程Ｂ３は、断裁工程Ｂ１の前に行ってもよい。
【００１９】
図５において、符号Ｃで示すものは、上製本ラインにおける製本工程であり、この製本工程Ｃ自体は公知のものを使用可能である。すなわち、製本工程Ｃは、上製本ラインに供給された本文の背を整える下固め工程Ｃ１と、本文の背を除いた３辺を断裁し、所定サイズの本文２（図７参照）とする三方断裁工程Ｃ２と、本文２の背に接着剤７を塗布する背部分接着剤塗布工程Ｃ３と、その本文２を、上製本ラインに供給された表紙１０でくるむくるみ工程Ｃ４（詳細は後述）と、くるんだ後の本をプレスし且つ焼付けて接着剤による接着を確実にするためのプレス及び焼付工程Ｃ５等を備えている。ここで、くるみ工程Ｃ４では、図７に示すように、本文２の前後面の見返し２ａの全面に接着剤６を塗布し、次いで、所定位置で裏面を下側にして待機している表紙１０に対して下から本文２を持ち上げ、本文２の背を表紙１０の背表紙３の裏面に押し付け、更に本文２を持ち上げて、図８に示すように、表紙１０の両側の表表紙４、裏表紙４を本文２の前後面に折り重ねるという操作を行っており、その後のプレス及び焼付工程Ｃ５で、表紙４を本文２の前後面に押し付け且つ背表紙３を本文２の背に押し付けて加熱することにより、本文２に表紙１０が確実に接着される。
【００２０】
かくして、本文作成工程Ａで作成した本文と、表紙作成工程Ｂで作成した表紙１０を上製本ラインに供給し、製本工程Ｃを実施することで、図１に示すように、柔軟材を背表紙３とし、表表紙４、裏表紙４を見返し２ａにべた貼りした本１を製本することができる。なお、一般の上製本ラインでは、三方断裁後の本文２の背に接着剤を塗布した後、背紙等の補強材を貼り付ける工程があるが、本実施例の製本時には、この補強材の貼り付けを省略し、本文の背に塗布した接着剤を利用して、本文２を直接、背表紙３に貼り付けており、その分、工程が簡単となる。もし、必要なら、背紙等の補強材を貼り付ける工程を付加してもよい。ここで、本文２の背に用いる接着剤７としては、通常はにかわが用いられるが、その他にも、柔軟剤型ＥＶＡ系をはじめゴム系、ＰＵＲ等の各種ホットメルト或いは各種エマルジョンを用いてもよい。
【００２１】
なお、この実施例では、図６（ｂ）に示すように、背表紙３の両側縁部分を表表紙４、裏表紙４の裏面側に貼り付けた構成の表紙１０を用いているが、この代わりに、背表紙３の両側縁部分を表表紙４、裏表紙４の表面側に貼り付けた構成の表紙を用いて製本することも可能であり、その場合には、図３、図４に示す構成の本１Ａを製本できる。
【００２２】
また、上記した製本方法では、上製本ラインを用いて製本を行っているが、この代わりに、絵本ラインを用いることも可能である。絵本ラインにおいても、図５に示す製本工程Ｃと同様な工程を備えており、且つ、そのくるみ工程には、本文の見返しに接着剤を塗布する代わりに、表紙１０の表表紙４、裏表紙４の裏面全面に接着剤を塗布する機能を備えているので、図１〜図４に示す構成の本１、１Ａを製本できる。
【００２３】
上記実施例では、表紙１０の作成工程として、図６に示すように、所定サイズに断裁した表表紙４、裏表紙４に背表紙３を貼り付けるものを示している。ところでこの構成では、表表紙４、裏表紙４に背表紙３を貼り合わせる際、２枚の表表紙４、裏表紙４を所定の間隔Ｄで且つ所定の平行度を保った位置に位置決めする必要があり、この作業が困難である。そこで、この作業を容易に実施しうるようにした本発明の表紙作成方法の実施例を以下に説明する。
【００２４】
図９（ａ）、（ｂ）は、本発明の一実施例による表紙作成工程における作業手順を示すものである。まず、図９（ａ）に示す形状、サイズの表紙用紙１１とクロス等の柔軟材１２を作成する。この表紙用紙１１は、最終的に作成する表紙１０よりも大きい天地サイズＨを有すると共に、その中に、表表紙４、裏表紙４（図１参照）となる部分１１ｂ、１１ｂ（後述するスリット１４及び二点鎖線１５で囲まれた領域）を、本文の背の厚さ以上に選定した間隔Ｄを開けて配置しており、更に、表表紙及び裏表紙となる部分１１ｂ、１１ｂで挟まれた中央領域１１ａに、その部分１１ｂ、１１ｂの内側の辺に沿って、その辺よりも長い一対のスリット１４、１４を形成し、そのスリット１４、１４の両端の外側の部分１１ｃで二つの部分１１ｂ、１１ｂを連結した構成となっている。この表紙用紙１１には、必要な印刷を施している。なお、表紙用紙１１の周辺近傍の二点鎖線１５は、後工程で、表紙用紙１１から表紙１０を切り出すために断裁する位置を示しており、一対のスリット１４、１４の両端は、二点鎖線１５で示す断裁位置を横切るように形成されている。柔軟材１２は、背表紙３となるものであり、背表紙３に必要な幅Ｗを有すると共に長さは、背表紙３よりも少し長く設定されており、また、その表面には、必要な印刷、箔押し等の加工を施している。
【００２５】
次に、表紙用紙１１の裏面の、一対のスリット１４、１４の外側近傍の領域に接着剤５を塗布し、柔軟材１２を貼り付ける。これにより、図９（ｂ）に示す形態の表紙材１７が形成される。その後、二点鎖線１５で示す位置を断裁し、その周囲の部分及び一対のスリット１４ではさまれた部分を切り離し、除去する。これにより、図６（ｂ）に示す構成の、すなわち、柔軟材からなる背表紙３の両側に表表紙４、裏表紙４を接続した構成の表紙１０が作成される。このように、この実施例では、二つの表表紙４、裏表紙４となる部分１１ｂ、１１ｂを備えた１枚の表紙用紙１１に対して柔軟材１２を貼り合わせ、その後、断裁しているので、表表紙４、裏表紙４を正確に位置決めした状態で、すなわち、間隔及び平行度を正しく保持した状態で、柔軟材を貼り付けることができ、正確な寸法の表紙１０を容易に作成できる。なお、表紙用紙１１に対して柔軟材１２を貼り付ける際に、その柔軟材１２を表紙用紙１１の表側の面に貼り付けて表紙を作成することも可能であり、その場合には、柔軟材で形成される背表紙３が表表紙４、裏表紙４の外側に位置するので、その表紙を用いて製本することで、図３、図４に示す本１Ａを製本できる。
【００２６】
上記実施例では、表紙用紙１１として、一対のスリット１４を形成したものを用いているが、この代わりに、図１０（ａ）に示すように、表表紙、裏表紙となる部分１１ｂ、１１ｂではさまれた中央領域の全幅に渡る広い幅Ｄのスリット１４Ａを形成した表紙用紙１１Ａを用いることも可能である。この場合にも、表紙用紙１１Ａの裏面に接着剤５を塗布し、クロス等の柔軟材１２を貼り付けて、図１０（ｂ）に示す構成の表紙材１７Ａを作成し、これを二点鎖線１５で示す位置で断裁し、周囲の部分を切り離し除去することで、図６（ｂ）に示す構成の表紙１０を作成できる。この実施例でも、図９の実施例と同様に、正確な寸法の表紙１０を容易に作成できる。
【００２７】
なお、図１０に示す実施例では、表紙用紙１１Ａに本の背の幅以上の幅Ｄのスリット１４Ａを形成しているで、この表紙用紙１１Ａに柔軟材１２を貼り付けた状態で、その柔軟材１２に対して印刷や箔押しを行うことが可能である。従って、柔軟材１２に対する印刷や箔押しを、柔軟材１２を表紙用紙１１Ａに貼り付ける前に行う代わりに、表紙用紙１１Ａに柔軟材１２を貼り付けた後で行うように変更してもよい。また、図１０に示す実施例の場合にも、柔軟材１２を表紙用紙１１Ａの表側の面に貼り付けて表紙を作成した場合には、柔軟材で形成される背表紙３が表紙４の外側に位置することとなり、その表紙を用いて製本することで、図３、図４に示す本１Ａを製本できる。
【００２８】
更に、以上に説明した製本方法では、図６（ｂ）に示す形態の表紙１０を上製本ライン或いは絵本ラインに供給して製本しているが、その代わりに図９（ｂ）、図１０（ｂ）に示した表紙材１７、１７Ａを直接、上製本ライン或いは絵本ラインに供給して製本することも可能である。例えば、表紙材１７を使用する場合には、表紙１０に代えて、この表紙材１７を上製本ライン或いは絵本ラインに供給し、表紙１０の場合と同様に製本し、図１１に示す形態の本を作成し、その後、出来上がった本を三方断裁装置に送って、２点鎖線１５で示す位置を三方断裁し、周辺の部分を除去すると共に、表紙用紙１１の一対のスリット１４、１４ではさまれた部分１１ａａを除去することで、図１に示す本１を作成できる。また、表紙材１７Ａを使用する場合も同様に、表紙１０に代えて、この表紙材１７Ａを上製本ライン或いは絵本ラインに供給し、表紙１０の場合と同様に製本し、その後、出来上がった本を三方断裁装置に送って三方断裁し、周辺の部分を除去することで、図１に示す本１を作成できる。なお、この場合には、表紙材１７Ａの表裏を入れ替えることで、図３に示す本１Ａを作成することもできる。ここで使用する三方断裁装置は、上製本ライン内で、プレス、焼付工程の後ろに配置してもよいし、上製本ラインとは別に設けてもよい。また、この場合には、くるみ工程の後に三方断裁を行うので、くるみ工程の前の本文裁断工程を省略してもよい。
【００２９】
以上に説明した本１、１Ａにおいて、表紙４としてソフトカバーを用いた場合には、その表紙の外側に更にハードカバーを組み合わせて使用することも可能である。図１２はその場合の一例を示すものであり、図１に示す本と同一構成の本１の裏表紙４を、ハードカバー表紙２４の裏表紙に貼り付けた構成の本２５を示している。この本２５では、ハードカバー表紙２４で全体を保護するため強度が大きく、また、その内部に配置した本１は背表紙３が柔軟材であるため、大きく開くことができるという効果を発揮できる。
【００３０】
【発明の効果】
以上に説明したように、本発明方法によって製本する本は、本文の背に柔軟材からなる背表紙を貼り付け、前記本文の前後面に位置する紙葉全面にそれぞれ、前記背表紙に接続された表表紙、裏表紙を貼り付けた構成のものであるので、本文を容易に大きく開くことができると共に見栄えが良く、しかも、背の構造が簡単であるので安価に製本できる等の効果を有している。
【００３１】
本発明の製本方法は、本の背表紙とすべき柔軟材の両側に、表表紙、裏表紙をそれぞれ接続した構成の表紙を作成し、その表紙を上製本ライン若しくは絵本ラインによって本文に取り付けるという構成としたものであるので、従来通常に使用されている上製本ライン若しくは絵本ラインを用いて、本文の背に柔軟な背表紙を貼り付け、表表紙、裏表紙を本紙の前後面に位置する紙葉にべた貼りした構成の本を製造できるという効果を有している。
【００３２】
また、本発明の表紙作成方法は、１枚の用紙に、表表紙、裏表紙となる部分を所定の間隔となるように配置し且つその表表紙、裏表紙となる部分の内側の辺に沿って長いスリットを形成した構成の、且つ作成すべき表紙よりも天地サイズの大きい１枚の表紙用紙を作成し、その表紙用紙に対して、背表紙を構成する柔軟材を、その両側縁部分を前記表表紙、裏表紙となる部分に接着することで取り付けて表紙材を作成し、その後、その表紙材を所定サイズに断裁することで、余分な部分を切り離し除去するものであるので、柔軟材を貼り付ける際に、表表紙、裏表紙を正しい位置に位置決めするという作業が不要となり、柔軟材からなる背表紙に対して表表紙、裏表紙を正確な位置に貼り付けた構成の表紙を容易に作成できるという効果を有している。
【００３３】
更に、本発明の製本方法は、上記した表紙材を切断して表紙を作成することなく、表紙材のままで上製本ライン若しくは絵本ラインに供給して製本を行い、その後、出来上がった本の背を除いた三方を化粧裁ちするという構成としたものであるので、これによっても、本文の背に柔軟な背表紙を貼り付け、表表紙、裏表紙を本紙の前後面に位置する紙葉にべた貼りした構成の本を製造でき、しかも、表紙材が、柔軟材の両側に表表紙、裏表紙を接続した構成の表紙に比べて強度が大きいため、製本ラインでの取り扱い性が良く、このため位置決め精度が高く、本の品質を向上させることができる等の効果を有している。
【図面の簡単な説明】
【図１】  本発明方法によって製本する本の１例を、本を閉じた状態で示す概略斜視図
【図２】  図１に示す本を開いた状態で示す概略断面図
【図３】  本発明方法によって製本する本の他の例を、本を閉じた状態で示す概略斜視図
【図４】  図３に示す本を開いた状態で示す概略断面図
【図５】  図１に示す本の製本工程の一実施例を示すブロック線図
【図６】  （ａ）、（ｂ）は、図５に示す製本工程において使用する表紙１０を作成する手順を説明する概略斜視図
【図７】  上製本ラインにおけるくるみ工程において、本文２を表紙１０に貼り付ける前の状態を示す概略斜視図
【図８】  本文２を表紙１０でくるむ途中の状態を示す概略斜視図
【図９】  （ａ）、（ｂ）は、本発明の表紙作成方法の一実施例における作成手順を説明する概略斜視図
【図１０】  （ａ）、（ｂ）は、本発明の表紙作成方法の他の実施例における作成手順を説明する概略斜視図
【図１１】  本発明の更に他の実施例による製本方法において、本文を表紙材でくるんだ後の状態を示す概略斜視図
【図１２】  本の変形例を示す概略斜視図
【符号の説明】
１、１Ａ  本
２  本文
２ａ  見返し
３  背表紙
４  表表紙、裏表紙
５、６、７  接着剤
１０、１０Ａ  表紙
１１、１１Ａ  表紙用紙
１１ｂ  表表紙、裏表紙となる部分
１２  背表紙（柔軟材）
１４、１４Ａ  スリット
１５  断裁位置を示す線
１７、１７Ａ  表紙材
【図１】
0003902702.tif 000002
【図２】
0003902702.tif 000003
【図３】
0003902702.tif 000004
【図４】
0003902702.tif 000005
【図５】
0003902702.tif 000006
【図６】
0003902702.tif 000007
【図７】
0003902702.tif 000008
【図８】
0003902702.tif 000009
【図９】
0003902702.tif 000010
【図１０】
0003902702.tif 000011
【図１１】
0003902702.tif 000012
【図１２】
0003902702.tif 000013